(57)【要約】      （修正有）【課題】家庭等にある使用可能であるが不要な物を必要な人に届けることができ、且つ社会貢献団体等の団体が活動資金を得ることができる社会貢献型買取システムを提供する。【解決手段】支援者３を有する社会貢献団体５が、その支援者の家で使われていない提供物を集め、ある程度、集めた段階で買取業者７が上記提供物を集荷する。そして、買取業者７は、上記集荷した提供物を、所定の基準に基づいて査定して査定額を決定する。また、買取業者７は、上記決定した査定額に所定の加算額を加えた支払額を決定する。そして、買取業者７は、上記決定した支払額に応じた金銭を社会貢献団体５に支払う。【選択図】図１
0003194061.tif 000002
【実用新案登録請求の範囲】
【請求項１】
所定の団体あるいは当該団体の支援者からの集荷依頼に応じて、当該団体の支援者が提供した提供物の集荷処理を行う集荷処理手段と、
前記集荷した提供物を、所定の基準に基づいて査定して査定額を決定する査定額決定手段と、
前記査定額に所定の加算額を加えた支払額を決定する支払額決定手段と、
前記決定した支払額に応じた金銭を前記団体に支払う支払処理を行う支払処理手段と
を有する社会貢献型買取システム。
【請求項２】
前記査定額を決定するための情報を入力する操作手段と、
前記支払額及び前記支払処理に関する画面を表示するディスプレイと
を有する請求項１に記載の社会貢献型買取システム。
【考案の詳細な説明】
【技術分野】
【０００１】
本考案は、社会貢献団体等が支援者から提供物を集荷して活動資金を得ることを可能とする仕組み（システム）に関する。
【背景技術】
【０００２】
近年、エコライフの意識が高くなり、家庭等にある使用可能であるが不要な物を必要な人に使ってもらいたいという要請がある。
また、ＮＰＯ等の社会貢献団体は、支援者はいるが、補助金や寄付金といった現在の活動資金確保手段に加え、新たな負担を最小限に抑え、支援者からの支援の垣根を下げ、支援の幅を広げ、新たな活動資金のチャネルを加えたいという要請がある。
【考案の開示】
【考案が解決しようとする課題】
【０００３】
しかしながら、現在では、上述した要請に応える仕組みがない。
【０００４】
本考案は、家庭等にある使用可能であるが不要な物を必要な人に届けることができ、且つ社会貢献団体等の団体が活動資金を得ることができる仕組みを実現するための社会貢献型買取システムを提供することを目的とする。
【課題を解決するための手段】
【０００５】
上述した従来技術の問題点を解決し、上述した目的を達成するため、本考案の社会貢献型買取システムは、所定の団体あるいは当該団体の支援者からの集荷依頼に応じて、当該団体の支援者が提供した提供物の集荷処理を行う集荷処理手段と、前記集荷した提供物を、所定の基準に基づいて査定して査定額を決定する査定額決定手段と、前記査定額に所定の加算額を加えた支払額を決定する支払額決定手段と、前記決定した支払額に応じた金銭を前記団体に支払う支払処理を行う支払処理手段とを有する。
【０００６】
本考案の社会貢献型買取システムは、前記査定額を決定するための情報を入力する操作手段と、前記支払額及び支払処理に関する画面を表示するディスプレイとを有する。
【考案の効果】
【０００７】
本考案によれば、家庭等にある使用可能であるが不要な物を必要な人に届けることができ、且つ社会貢献団体等の団体が活動資金を得ることができる仕組みを実現するための社会貢献型買取システムを提供することができる。
【図面の簡単な説明】
【０００８】
【図１】図１は、本考案の実施形態に係る社会貢献型買取システムの概念図である。
【図２】図２は、図１に示す社会貢献団体及び買取業者が使用するシステムを説明するための図である。
【図３】図３は、図２に示すコンピュータのハードウェア構成図である。
【図４】図４は、図１に示すコンピュータが実現する機能を説明するための機能ブロック図である。
【考案を実施するための最良の形態】
【０００９】
以下、本考案の実施形態に係る社会貢献型買取システムを、図面を参照しながら説明する。
図１は、本考案の実施形態に係る社会貢献型買取システム１の概念図である。
社会貢献型買取システム１は、家庭に眠る提供物を、社会を良くするために活動している各種ＮＰＯ法人等の社会貢献団体５の活動資金の取得を支援し、社会活動支援を行うことを可能にするサービスである。
また、社会貢献型買取システム１は、支援者３が自分が応援したい社会貢献活動を、自宅にある使用可能であるが不要な物を提供することで、誰でも、今すぐ、簡単に、支援することができるサービスを提供する。
【００１０】
社会貢献型買取システム１は、支援者３を有する社会貢献団体５が、その支援者の家等で使われていない物（提供物）を集め、ある程度、集めた段階で買取業者７が上記提供物を集荷する。
【００１１】
そして、買取業者７は、上記集荷した提供物を、所定の基準に基づいて査定して査定額を決定する。また、買取業者７は、上記決定した査定額に所定の加算額を加えた支払額を決定する。そして、買取業者７は、上記決定した支払額に応じた金銭を社会貢献団体５に支払う。社会貢献団体５は、当該金銭を活動資金とする。
【００１２】
上記提供物としては、例えば、金、貴金属、プラチナ、ブランド品、ブランド時計、ダイヤモンド、宝石、切手、金貨、銀貨、未だる、勲章、骨董品、携帯電話、カメラ等がある。
【００１３】
図２は、図１に示す社会貢献団体５及び買取業者７が使用するシステムを説明するための図である。
図２に示すように、社会貢献団体５がコンピュータ１１を使用し、買取業者７がコンピュータ１３を使用する。
【００１４】
コンピュータ１１は、例えば、支援者３からの提供物を管理したり、コンピュータ１３に集荷依頼をするために社会貢献団体５によって使用される。
【００１５】
図３は、図２に示す買取業者７が使用するコンピュータ１３のハードウェア構成図である。
図３に示すように、コンピュータ１３は、ディスプレイ２３、操作部２５、インタフェース２７、メモリ２９、処理回路３１及びデータベース３３が、データライン２０を介して接続されている。 
ディスプレイ２３は、処理回路３１の処理結果等を表示する。 
【００１６】
操作部２５は、キーボード、マウス、タッチパネル等の操作手段であり、ユーザの操作に応じた操作信号を処理回路３１に出力する。 
インタフェース２７は、図２に示すコンピュータ１１等の外部装置との間でデータの入出力を行う。 
メモリ２９は、処理回路３１が実行するプログラム、並びに処理回路３１の処理に使われるデータや処理結果のデータを記憶する。 
処理回路３１は、上記プログラムを実行し、本実施形態で説明する各種の処理を実行する。 
【００１７】
図４は、図１に示すコンピュータ１３が実現する機能を説明するための機能ブロック図である。
図１に示すコンピュータ１３は、処理回路３１でプログラムを実行することで、図４に示すように、集荷処理部４１、査定額決定部４２、支払額決定部４３及び支払処理部４４の機能を実現する。
【００１８】
集荷処理部４１は、社会貢献団体５からの集荷依頼に応じて、社会貢献団体５が所定の期限内に、支援者３から集めた提供物の集荷処理を行う。具体的には、コンピュータ１１からの集荷要請を受けると、社会貢献団体５に出向いて集荷作業を行う。
【００１９】
査定額決定部４２は、上記集荷した提供物を、所定の基準に基づいて査定して査定額を決定する。具体的には、予め決められた査定表を基に、査定額決定する。
なお、査定額決定部４２は、社会貢献団体５から受けた提供物の査定額一覧データを生成し、これをコンピュータ１１に送信したり、プリントアウトする。
【００２０】
支払額決定部４３は、上記決定した査定額に所定の加算額を加えた支払額を決定する。具体的には、査定額に対して所定の％を乗じた額、あるいは所定の額を加算額として決定する。
【００２１】
支払処理部４４は、上記決定した支払額に応じた金銭を前記団体に支払う支払処理を行う。具体的には、支払処理部４４は、ネットバンクシステムを利用して社会貢献団体５の銀行口座に支払う手続を行う。
【００２２】
上述したサービスは、支援者３と社会貢献団体５の双方にメリットのある仕組みである。
支援者３は、家に眠っている提供物（譲り受けたモノ、昔コレクションしたモノ、不要になったモノなど）を捨てることなく、簡単に、便利に片付けることができる。
すなわち、エコライフを実践しながら、社会に貢献することができる。
【００２３】
また、社会貢献団体５は、補助金や寄付金といった、現在の活動資金確保手段に加え、新たな負担を最小限に抑え、支援者３からの支援の垣根を下げ、支援の幅を広げ、新たな活動資金のチャネルを加えることができる。
また、社会貢献団体５は、より質の高い事業を行い、社会的課題を効果的に解決するためには、活動資金の積極的な確保が必要ある。
【００２４】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
例えば、上述した実施形態では、社会貢献団体５が支援者３から提供物を集め、社会貢献団体５から買取業者７に送る場合を例示したが、社会貢献団体５から支援者３への案内に応じて、支援者３が買取業者７に直接、提供物を送ってもよい。
【産業上の利用可能性】
【００２５】
本考案は、例えば、社会貢献型買取システムに適用可能である。
【符号の説明】
【００２６】
３…支援者
５…社会貢献団体
７…買取業者
１１，１３…コンピュータ
４１…集荷処理部
４２…査定額決定部
４３…支払額決定部
４４…支払処理部
【図１】
0003194061.tif 000003
【図２】
0003194061.tif 000004
【図３】
0003194061.tif 000005
【図４】
0003194061.tif 000006